(57)【要約】【課題】従来のファクシミリ装置やファクシミリ機能を有する複合装置の手順信号の受信において、マルチフレームからなる手順信号を受信した場合に、１つのフレームでもエラーがあった場合は、受信したフレームを廃棄し、はじめからその手順信号を受信していた。しかし数回の手順信号で全てのフレームでエラーがないものを受信しなければこの手順信号の受信を失敗したと判断していた。【解決手段】マルチフレームからなる手順信号を受信したときに、エラーのあるフレームがあってもその手順内でエラーのないフレームは保持しておき、エラーのあったフレームはフレーム番号を保持し、再び同じ手順信号を受信したときに、エラーのあったフレームと同じフレーム番号のものを活用することにより上記課題を解決できる。【選択図】  図８
2005039489.tif 000002
【特許請求の範囲】
【請求項１】
複数のフレームを１組とするマルチフレームによる手順信号を受信し、この受信した手順信号に従って動作するファクシミリ装置において、
前記マルチフレームの手順信号を受信する受信手段と、受信した手順信号をフレーム単位で格納するフレーム格納手段と、前記フレームのエラーを検出するフレームエラー検出手段と、前記フレームデータを解析するフレーム解析手段と、前記マルチフレームの手順信号を受信したとき、前記フレームエラー検出手段がこのマルチフレームの少なくとも１つのフレームでエラーを検出した場合に、エラーのあったフレーム番号をエラーフレーム保持手段に保持するとともに、エラーのなかったフレームを前記フレーム格納手段に格納し、再び同じマルチフレームの手順信号を受信するのを待つ伝送制御手段と、を有することを特徴とするファクシミリ装置。
【請求項２】
前記伝送制御手段は、再び同じマルチフレームの手順信号を受信したときに、先のマルチフレームの手順信号の受信においてエラーのあったフレーム番号と対応するフレームであり、かつ前記フレームエラー検出手段がエラーを検出しないフレームのみを前記フレーム格納手段に格納することを特徴とする請求項１に記載のファクシミリ装置。
【請求項３】
前記フレーム解析手段は、前記伝送制御手段が前記マルチフレームの全てのフレームを前記フレーム格納手段に格納した後、前記全てのフレームデータを解析することを特徴とする請求項１または２に記載のファクシミリ装置。
【請求項４】
前記伝送制御手段は、全てのフレームを正しく受信したと判断するまで再び同じマルチフレームの手順信号を受信するのを待つことを特徴とする請求項１〜３のいずれかに記載のファクシミリ装置。
【請求項５】
前記フレームは、ＩＴＵ−Ｔ勧告Ｔ．３０で定められたＨＤＬＣフレームであることを特徴とする請求項１〜４のいずれかに記載のファクシミリ装置。
【発明の詳細な説明】
【０００１】
【発明の属する技術分野】
本発明は、ファクシミリ、ファクシミリ機能を有する複合装置などの画像形成装置について、特に複数のフレームを１組とするマルチフレームによる手順信号を受信し、この受信した手順信号に従って動作するものに関する。
【０００２】
【従来の技術】
ＩＴＵ−Ｔ勧告Ｔ．３０のＧ３規格のＥＣＭ（エラーコレクションモード）に準拠して画情報を伝送するファクシミリ装置が一般に実用されている。このＥＣＭでは、送信側は、ＨＤＬＣ（ハイ・レベル・データ・リンク）に準拠した最大２５６個の各データフレームが１ブロックのデータ信号を形成し、１ブロック単位に送信する。受信側は、そのデータ信号を受信して、１フレームごとに伝送エラーをチェックし、エラーがあった場合、そのフレームの画情報を再送要求する。送信側は、再送要求されると、要求されたフレームの画情報により１ブロックのデータ信号を形成して再送する。
【０００３】
近年、自動車電話や携帯電話を利用したファクシミリ通信が行なわれている。このような無線回線を使用し回線状態が悪化しやすいため、伝送エラーが発生しやすい。このように、画像データの伝送であればＥＣＭが用いられており、少々回線の状態が悪くても画像データを受信することは可能であった。
【０００４】
一方、手順信号においても、複数のデータフレームを１組とするマルチフレームを送受信することが行われている。例えば、特許文献１にはＩＴＵ−Ｔ勧告Ｔ．３０のＧ３規格に準拠したＨＤＬＣ（ハイ・レベル・データ・リンク）フレームをフレーム単位としたマルチフレームの手順信号を送受信するファクシミリ装置が開示されている。また、特許文献２にはＣＣＩＴＴ勧告に基づいて、マルチフレームの手順信号を送受信するファクシミリ装置が開示されている。
【０００５】
【特許文献１】
特開平９−１８６８３７号公報
【０００６】
【特許文献２】
特開平７−２６４３７４号公報
【０００７】
【発明が解決しようとする課題】
以上のようなマルチフレームの手順信号の受信においては、１回受信してフレームエラーを検出すると、再び同じ手順信号が送信されてくるのを待って、最終的にフレームエラーのない手順信号を受信している。このとき、エラーが検出された手順信号は解析や処理をすることなく全て廃棄して、再び同じ手順信号の受信を待つのが一般的であった。
【０００８】
しかし、多くのフレームからなるマルチフレームの手順信号を受信した場合、上述したように回線の状態が悪い場合などでは１回の受信で全てのフレームについて正常に受信するのが困難なこともある。このとき、送信側からの手順信号の再送回数をオーバーするか、受信側がタイムオーバーするかなどして回線が切断されるので、もう一度最初からファクシミリ送信の作業をやりなおす必要があり面倒であった。
【０００９】
本発明は、上記問題点に鑑み、マルチフレームからなる手順信号を複数回受信した場合に、１つも完全な手順信号を受信できなかった場合であっても、１つの正しい手順信号を受信したのと同じように動作するファクシミリ装置を提供することを目的とする。
【００１０】
【課題を解決するための手段】
上記課題を解決するために、本発明に係る第１のファクシミリ装置は、複数のフレームを１組とするマルチフレームによる手順信号を受信し、この受信した手順信号に従って動作するファクシミリ装置において、前記マルチフレームの手順信号を受信する受信手段と、受信した手順信号をフレーム単位で格納するフレーム格納手段と、前記フレームのエラーを検出するフレームエラー検出手段と、前記フレームデータを解析するフレーム解析手段と、前記マルチフレームの手順信号を受信したとき、前記フレームエラー検出手段がこのマルチフレームの少なくとも１つのフレームでエラーを検出した場合に、エラーのあったフレーム番号をエラーフレーム保持手段に保持するとともに、エラーのなかったフレームを前記フレーム格納手段に格納し、再び同じマルチフレームの手順信号を受信するのを待つ伝送制御手段と、を有することを特徴とする。
【００１１】
本発明に係る第２のファクシミリ装置は、第１のファクシミリ装置において、前記伝送制御手段は、再び同じマルチフレームの手順信号を受信したときに、先のマルチフレームの手順信号の受信においてエラーのあったフレーム番号と対応するフレームであり、かつ前記フレームエラー検出手段がエラーを検出しないフレームのみを前記フレーム格納手段に格納することを特徴とする。
【００１２】
本発明に係る第３のファクシミリ装置は、前記伝送制御手段が前記マルチフレームの全てのフレームを前記フレーム格納手段に格納した後、前記フレーム解析手段は前記全てのフレームデータを解析することを特徴とする
本発明に係る第４のファクシミリ装置は、第１〜第３のいずれかのファクシミリ装置において、前記伝送制御手段が全てのフレームを正しく受信したと判断するまで再び同じマルチフレームの手順信号を受信するのを待つことを特徴とする。
【００１３】
本発明に係る第５のファクシミリ装置は、第１〜第４のいずれかのファクシミリ装置において、前記フレームがＩＴＵ−Ｔ勧告Ｔ．３０で定められたＨＤＬＣフレームであることを特徴とする
【００１４】
【作用】
第１のファクシミリ装置は、マルチフレームからなる手順信号を受信し、その１つのフレームにエラーがあった場合に、この手順信号の全てのフレームを廃棄せず、エラーのなかったフレームは格納し、エラーのあったフレーム番号を保持し、あとから同じ手順信号を受信したときに前回の手順でエラーのあったフレームと同じフレーム番号のフレームを補うことができる。
【００１５】
第２のファクシミリ装置は、再送されてくるマルチフレームからなる手順信号を受信し、そのなかに前回エラーがあったフレームと同じ番号のフレームでエラーがなければ、この手順信号で全てのフレームを正常に受信したものと判断して手順を実行することができる。
【００１６】
第３のファクシミリ装置は、マルチフレームからなる手順信号で、全てのフレームを受信したと判断した場合に、全てのフレームを解析するので、エラーフレームの全くないマルチフレームからなる手順信号を受信することを待つことなく処理が実行できる。
【００１７】
第４のファクシミリ装置は、マルチフレームからなる手順信号で、全てのフレームを受信したと判断するまで、再送されるマルチフレームからなる手順信号を受信することを待つので、手順信号程度のフレーム数であれば数回のうちに確実に全てのフレームを受信することができる。
【００１８】
第５のファクシミリ装置は、マルチフレームがＩＴＵ−Ｔ勧告Ｔ．３０で定められたＨＤＬＣフレームにより構成されているので、送信側と受信側の互換性を持たせることができる。
【００１９】
【実施例】
本発明を採用する複合装置を図１の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、ＤＦ１３、バッファーメモリ１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００２０】
詳しくは、ＣＰＵ２は当該画像形成装置１の各構成を制御しており、各種プログラムを記憶したＲＯＭ３、ユーザーチョイスデータ、設定情報、トータルカウントデータ、各種フォントデータなどを記憶したＲＡＭ４に接続されている。
【００２１】
メール作成手段５は、スキャナ部１２で読み取られた画像データを、予め登録した相手先へ電子メールに添付して送信するときの電子メールを作成する手段である。
【００２２】
プリンタコントローラ６は、接続されたパソコンから送信され、バッファメモリ１４の受信領域に格納されているプリントコマンド（ＰＤＬ）やジョブ情報を解析し、中間言語情報を生成するものである。この中間言語情報はバッファメモリ１４の中間言語情報記憶領域に格納される。
【００２３】
プリンタ部７は、ビットマップメモリ１５に展開されている画像データを順次このプリンタ部７の作像部のＬＳＵ又はＬＰＨなどの潜像を書き込む光学装置に送り、この作像部でトナー像を形成し、これを給紙カセットから順次給紙、搬送される用紙に転写し、定着、排紙される。
【００２４】
後処理装置用Ｉ／Ｆ８と後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２５】
操作パネル１０は、図２に示すように大型のＬＣＤデバイスであるＬＣＤ表示部、スタートキー、ストップ／クリアキー、リセットキーなどの複数の操作キーなどから構成されている。スタートキーはコピー開始や、スキャナ読み取り開始、ファックス送信開始のキーである。ストップ／クリアキーは直前の設定をキャンセルしたり、ジョブを中断するキーである。リセットキーは設定を全てクリアし、画面もＬＣＤ表示部に表示中の画面もいかなる画面からでも基本画面に戻すキーである。その他テンキー、割り込みキー、節電キー、初期設定キー、部門管理キーや、この画像形成装置は複合装置なので操作表示部はコピー機能画面、プリンタ機能画面、ファクシミリ機能画面、スキャナ機能画面を操作パネル１０の左にある選択キーにより切り替え可能である。
【００２６】
スキャナＩ／Ｆ１１は、この複合装置１の上に置かれたスキャナ部１２とケーブルを介して接続し、このスキャナ部１２とＤＦ１３を制御するためのインターフェースである。
【００２７】
スキャナ部１２は、ＤＦ１３で１枚づつフィードされる、または１枚をコンタクトガラス上に置いた原稿にハロゲンランプまたは蛍光灯で光を当てその反射光をＣＣＤセンサで読み取り、このアナログ信号をＡ／Ｄ変換でデジタル信号に変換し画像処理部で画像処理をして後段のビットマップメモリ１５に展開していく。このビットマップメモリ１５は、スキャナ部１２からの画像データの他、ネットワークなどを介して接続されたパソコンから転送されてくるプリントコマンドをプリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
バッファメモリ１４は、上述した受信画像領域や中間言語領域の他、通常メモリコピーやファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
モデム１７は、本発明の請求項の変復調部に対応するもので、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。ＮＣＵ１８は、公衆回線への接続、ファクシミリと電話の切り替え、回線へのオンフック信号の送出、リング検出などを行う。詳細は後で説明する。
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。バス２１は、上述した各構成のデータや信号のやり取りを行うバスである。それぞれ画像データ用のバスや制御信号用のバスがあるが、ここでは略して１つで表している。
Ｇ３ファクシミリ装置が受信するバイナリーコードデータのフォーマットを図３を用いて説明する。図３より、アドレスフィールド、制御フィールド、情報フィールド、フレームチェックシーケンスが、前後を８ビットのフラグ（「０１１１１１１０」（７Ｅｈ））によって区切られている。このアドレスフィールドからフレームチェックシーケンスまでを１フレームとしている。伝送手順でははじめに１秒±１５％程度の連続するフラグであるプリアンブルをを受信する。前記アドレスフィールドはファクシミリ同士では１対１の送受信なので必要ないが８ビットの「１１１１１１１１」となっている。前記制御フィールドはこの受信したフレームが手順中のものか手順内の最後のフレームか否かを識別するもので、手順中であれば「１１００００００」（０３ｈ）で、最後のフレームまたは単独のフレームであれば「１１００１０００」（１３ｈ）となっている。前記情報フィールドはこの制御信号の機能を識別する情報であり８ビットのファクシミリ制御フィールドＦＣＦと、送信側のもつ機能情報などの８ビット以上のファクシミリ情報フィールドＦＩＦからなる。この情報フィールドはファクシミリ制御フィールドのみのものもある。前記フレームチェックシーケンスＦＣＳは１６ビットの誤りチェック符号で、アドレスフィールドから情報フィールドまでの伝送誤りの有無を検出するためにある。
【００２８】
図５はマルチフレームの構成の一例である。図５より、マルチフレームは複数のフレームと、各フレームの前後を区切るフラグＦによって構成されている。各フレームは上記の通り、アドレスフィールドＡ、制御フィールドＣ、ファクシミリ制御フィールドＦＣＦおよびフレームチェックシーケンスＦＣＳからなる。制御フィールドＣは最終フレームについては１３ｈ、その他のフレームについては０３ｈとなっている。フラグＦの内、先頭フレームの前には開始フラグ、各フレーム間には連結フラグ、最終フレームの後ろには終結フラグが配置されており、手順開始、手順中および手順終了を識別することができる。
本発明を採用する複合装置のファクシミリ機能に関する、受信部周辺の構成を図４を用いて説明する。受信部周辺は、上述したＮＣＵ１８、モデム１７の他、フラグ検出手段２７、フレームエラー検出手段２８、最終フレーム検出手段２９、フレーム格納手段３０、フレーム解析手段３１、伝送制御手段３２、エラーフレーム番号保持手段３３どから構成されている。
フラグ検出手段２７は、受信したバイナリーコードのフラグを検出して伝送制御手段３２に信号を送る。フレームエラー検出手段２８は、受信したバイナリーコードのＦＣＳ（フレームチェックシーケンス）を演算してフレームにエラーが有るか否かを判断し伝送制御手段３２に信号を送る。エラーフレーム番号保持手段３３は、一連の手順信号を受信しているときにエラーの有ったフレームが、マルチフレームの先頭フレームから数えて何番目であったかをフレーム番号として保持する。最終フレーム検出手段２９は、受信したバイナリーコードの制御フィールドから、このフレームが最終フレームか否かを判断し伝送制御手段３２に信号を送る。フレーム格納手段３０は受信したフレームを格納するメモリである。フレーム解析手段３１は、受信したバイナリーコードの情報フレーム（ＦＣＦ、またはＦＣＦとＦＩＦ）を解析し、その情報に従い次の動作を実行するものである。伝送制御手段３２はこれらの制御を行う。
フラグ検出手段２７とフレームエラー検出手段２８は近年モデム１７とともに１つのチップになっている。また最終フレーム検出手段２９やフレーム解析手段３１はプログラムにより上記の動作を行うことができる。
本発明を採用する複合装置のファクシミリ機能における手順信号を受信するときのフローを図６を用いて説明する。まず手順信号を受信してからタイムアップするまでのタイマーｔをセットし（Ｓ１０１）、受信する同じ手順信号が何回目かをカウントするカウンタをＮ＝１にセットする（Ｓ１０２）。続いてプリアンブルの受信を行い（Ｓ１０３）、エラーフレーム番号保持手段３３に保持されているフレーム番号があるか否かを判断し（Ｓ１０４）、無ければこの手順信号の受信は１回目か２回目以降かを判断するＮ＞１を判断し（Ｓ１０５）、１回目でなければＳ１１２に進み、１回目であればＳ１０７に進む。Ｓ１０４でエラーフレーム番号保持手段３３に保持されているフレーム番号があれば、そのフレーム番号は今受信しようとしているフレーム番号と同じか否かを判断し（Ｓ１０６）、同じであればＳ１０７に進み、同じで無ければＳ１１２に進む。
Ｓ１０７では、フラグ検出手段２７が検出した開始フラグと連結フラグ（または終結フラグ）の間を１フレームと判断して１フレームを受信し、次にフレームエラー検出手段２８がこの１フレームのフレームチェックシーケンスのエラー検出を試み（Ｓ１０８）、エラーが検出されなければこのフレームをフレーム格納手段３０に格納し（Ｓ１０９）、このフレーム番号と同じフレーム番号がエラーフレーム番号保持手段３３にあれば保持されたフレーム番号を削除（Ｓ１１０）してＳ１１２に進み、Ｓ１０８でエラーが検出されれば、このフレーム番号をエラーフレーム番号保持手段３３に格納（Ｓ１１１）してＳ１１２に進む。
【００２９】
Ｓ１１２では、最終フレーム検出手段２９が受信したバイナリーコードの制御フィールドから、このフレームが最終フレームか否か、すなわち制御フィールドが１３ｈであるか否かを判断する。最終フレームである場合はＳ１１３に進み、最終フレームでない場合はＳ１０４に進んで次の１フレームの受信に関する処理に移行する。なお、あるフレームを受信した後、フラグ検出手段２７により連結フラグが検出されない場合または終結フラグが検出された場合に、あるいはあるフレーム受信後に無音時間が所定時間継続した場合に、このフレームが最終フレームであると判断しても良い。ここで、上記所定時間は７５±５ｍｓｅｃが適当である。
【００３０】
Ｓ１１３では、エラーフレーム番号保持手段３３に保持されているフレーム番号があるか否かを判断し、無ければフレーム解析手段３１が情報フィールドを解析して、その結果に応じて処理を実行し（Ｓ１１４）、手順信号の受信は終了する。Ｓ１１３でフレーム番号があればＳ１１５に進む。
【００３１】
Ｓ１１５では、タイマーｔが所定時間Ｔに達したかどうかを判断し、達していればタイムアップということでＤＣＮを送信して（Ｓ１１６）、回線が切断され処理は終了する。所定時間Ｔに達していなければカウンタをＮ＝Ｎ＋１（Ｓ１１７）としてＳ１０３に移行して、再び同じ手順信号の受信を待つ。
【００３２】
上記手順信号の受信フローの各処理および判断は、伝送制御手段３２が行う。
上記図６のフローのＳ１０８→Ｓ１０９→Ｓ１１０と進む場合と、Ｓ１０８→Ｓ１１１→Ｓ１１２→Ｓ１１３→Ｓ１１５→Ｓ１１７→Ｓ１０３と進む場合が、マルチフレームの少なくとも１つのフレームでエラーを検出した場合に、エラーのあったフレームのフレーム番号を保持するとともに、エラーのなかったフレームをフレーム格納手段３０に格納し、再び同じマルチフレームの手順信号を受信するのを待つフローであり、本発明の第１のファクシミリ装置に対応している。
また、上記図６のフローの２回目以降の手順信号の受信で、Ｓ１０４→Ｓ１０６→Ｓ１０７と進む場合が、前の受信でエラーのあったフレーム番号と同じフレーム番号のフレームを受信しており、本発明の第２のファクシミリ装置に対応する。
また、上記図６のフローのＳ１１３→Ｓ１１４と進む場合が、エラーフレーム番号保持手段３３に格納されたフレーム番号がないことでこの手順信号の全てのフレームがそろったと判断し処理を実行するフローになっており、本発明の第３のファクシミリ装置に対応する。つまりエラーのあった手順信号を受信していてもこの手順信号にしたがって処理は終了する。
また、上記図６のフローのＳ１１３→Ｓ１１５→Ｓ１１７→Ｓ１０３と進む場合が、エラーフレーム番号保持手段３３に格納されたフレーム番号がある場合は、この手順信号の全てのフレームがそろっていないと判断し、再び同じマルチフレームの手順信号を受信するのを待つフローになっており、本発明の第４のファクシミリ装置に対応する。これは手順信号を正しく受信したと判断するまでは同じ手順信号の受信を繰り返し行う。
本発明を用いる同一メーカ同士のファクシミリ機能における送受信で、マルチフレームからなる手順信号を用いる送信手順で、全ての送受信でエラーの発生しなかった場合の一例を図７を用いて説明する。まず、発呼側の画像データを送信する側のファクシミリ装置から、ダイアリングして回線が接続され、被呼側の画像データを受信する側のファクシミリ装置はＮＣＵが検出した信号レベルに基づきバイナリー信号であればファクシミリ装置に回線が接続され（Ｓ２０１）、４つのフレームからなる初期識別信号（ＮＳＦ−１・ＮＳＦ−２・ＣＳＩ・ＤＩＳ）を送出する（Ｓ３０２）。これを受けた送信側ファクシミリ装置は、このマルチフレームからなる手順信号を１フレームづつＦＣＳが正しいかを判断し、最後のフレームである前記ＤＩＳを受信したときに、各々のフレームのＦＣＳが正しければこのマルチフレームからなる初期識別信号を解析する。
続いて送信側ファクシミリ装置は４つのフレームからなる識別信号とデジタル命令信号（ここでは、Ｇ３の規格の送信時、受信側へ知らせる自機の識別信号ＴＳＩと、同一メーカー間同士の送受信で送信時、受信側へどのような送信条件（モデムの種類、Ｉ／Ｏスピード、記録紙幅など）で送信するかを知らせる信号ＮＳＳ−１・ＮＳＳ−２と、Ｇ３の規格の送信時、受信側へどのような送信条件（モデムの種類、Ｉ／Ｏスピード、記録紙幅など）で送信するかを知らせる信号ＤＣＳ）を送出する（Ｓ２０３）。
これを受けた受信側ファクシミリ装置は、このマルチフレームからなる手順信号を１フレームづつＦＣＳが正しいかを判断し、最後のフレームである前記ＤＣＳを受信したときに、各々のフレームのＦＣＳが正しければこのマルチフレームからなる信号を解析し、復調方式を切り換えるなどしてＴＣＦの受信を待つ。
送信側ファクシミリ装置は、上記ＴＳＩ・ＮＳＳ−１・ＮＳＳ−２・ＤＣＳを送出したあと、所定時間後（１００ｍｓｅｃ程度）に、モデムトレーニングチェック用の信号ＴＣＦを送出し（Ｓ２０４）、これを受けた受信側ファクシミリ装置が正しく受信できると（Ｓ２０５）、モデムトレーニングが成功したことを送信側へ知らせる応答信号ＣＦＲを送出する（Ｓ２０６）。
これを受けた送信側ファクシミリ装置は、画像データを所定の復号化方式で圧縮したＨＤＬＣフレームを順次送出し（Ｓ２０７）、受信側ファクシミリ装置は受信した画像を順次要し印字し（Ｓ２０８）、送信側ファクシミリ装置は全てのページの画像データを送出すると、最終ページの画像情報の送信が終了したことを受信側へ知らせる信号ＥＯＰを送出し（Ｓ２０９）、これを受けた受信側ファクシミリ装置は、画像情報とメッセージ後命令を正しく受信したことを送信側へ知らせる応答信号ＭＣＦを送出し（Ｓ２１０）、これを受けた送信側ファクシミリ装置は、回線をファクシミリから電話に切り換えることを知らせる信号ＤＣＮを送出する（Ｓ２１１）とともに回線を切断し（Ｓ２１２）、処理は終了する。続いて、本発明を用いる同一メーカ同士のファクシミリ機能における送受信で、マルチフレームからなる手順信号を用いる送信手順で、手順信号でたびたびエラーが発生した場合の一例を図８を用いて説明する。まず、発呼側の画像データを送信する側のファクシミリ装置から、ダイアリングして回線が接続され、被呼側の画像データを受信する側のファクシミリ装置はＮＣＵが検出した信号レベルに基づきバイナリー信号であればファクシミリ装置に回線が接続され（Ｓ３０１）、４つのフレームからなる初期識別信号（ＮＳＦ−１・ＮＳＦ−２・ＣＳＩ・ＤＩＳ）を送出する（Ｓ３０２）。これを受けた送信側ファクシミリ装置は、このマルチフレームからなる手順信号を１フレームづつＦＣＳが正しいかを判断し、最後のフレームである前記ＤＩＳを受信したときに、各々のフレームのＦＣＳが正しければこのマルチフレームからなる初期識別信号を解析する。しかし、このとき受信したＮＳＦ−２・ＣＳＩのフレームにエラーが発生した（図８中、エラーの発生したフレームを「  」で囲んだ。）ので、ＮＳＦ−１、ＤＩＳのフレームのみが格納されるととともに、フレーム番号２とフレーム番号３をエラーフレーム番号保持手段３３に保持する。ここで正しく手順信号を受信できていないのでこの手順信号の受信に対する応答を行わない。
受信する側のファクシミリ装置は、送信する側のファクシミリから応答がないので再び同じ初期識別信号（ＮＳＦ−１・ＮＳＦ−２・ＣＳＩ・ＤＩＳ）を送出する（Ｓ３０３）。これを受けた送信側ファクシミリ装置は、このマルチフレームからなる手順信号のうち、前の手順信号の受信で受信できなかったフレームを１フレームづつＦＣＳが正しいかを判断し、最後のフレームであるＤＩＳを受信したときに、各々のフレームのＦＣＳが正しければこのマルチフレームからなる初期識別信号を解析する。しかし、このときも受信したＮＳＦ−２のフレームにエラーが発生したので、ＤＩＳのフレームのみが格納されて、エラーフレーム番号保持手段３３に保持されているこのＤＩＳに対応するフレーム番号３を削除する。ここで、ＮＳＦ−２は２回の手順信号でも受信できずに格納されていないので、この手順信号の受信に対する応答を行わない。
受信する側のファクシミリ装置は、送信する側のファクシミリからまだ応答がないので再び同じ初期識別信号（ＮＳＦ−１・ＮＳＦ−２・ＣＳＩ・ＤＩＳ）を送出する（Ｓ３０４）。これを受けた送信側ファクシミリ装置は、前の手順信号の受信で受信できなかったフレームを１フレームづつＦＣＳが正しいかを判断し、最後のフレームである前記ＤＩＳを受信したときに、各々のフレームのＦＣＳが正しければこのマルチフレームからなる初期識別信号を解析する。このときは、ＮＳＦ−２のフレームを正しく受信でき、エラーフレーム番号保持手段３３に保持されているこのＮＳＦ−２に対応するフレーム番号２は削除され、全てのフレームが正しく受信できたと判断し、４つのフレームからなる識別信号とデジタル命令信号（ＴＳＩ・ＮＳＳ−１・ＮＳＳ−２・ＤＣＳ）を送出し（Ｓ３０６）、続いてＴＣＦを送出する。以下は図７に示す手順と同様に行われる。
【００３３】
【発明の効果】
本発明の第１のファクシミリ装置を用いれば、マルチフレームからなる手順信号を受信し、その１つのフレームにエラーがあった場合に、この手順信号の全てのフレームを廃棄せず、エラーのなかったフレームは格納し、エラーのあったフレーム番号を保持し、あとから同じ手順信号を受信したときに前回の手順でエラーのあったフレームと同じフレーム番号のフレームを補うことができる。
本発明の第２のファクシミリ装置を用いれば、再送されてくるマルチフレームからなる手順信号を受信し、そのなかに前回エラーがあったフレームと同じフレーム番号でエラーがなければ、この手順信号で全てのフレームを正常に受信したものと判断して手順を実行することができる。
本発明の第３のファクシミリ装置を用いれば、マルチフレームからなる手順信号で、全てのフレームを受信したと判断した場合に、全てのＨＤＬＣフレームを解析するので、エラーフレームの全くないマルチフレームからなる手順信号を受信することを待つことなく処理が実行できる。
本発明の第４のファクシミリ装置を用いれば、マルチフレームからなる手順信号で、全てのフレームを受信したと判断するまで、再送されるマルチフレームからなる手順信号を受信することを待つので、手順信号程度のフレーム数であれば数回のうちに確実に全てのフレームを受信することができる。
【００３４】
本発明の第５のファクシミリ装置を用いれば、マルチフレームがＩＴＵ−Ｔ勧告Ｔ．３０で定められたＨＤＬＣフレームにより構成されているので、送信側と受信側の互換性を持たせることができる。
【図面の簡単な説明】
【図１】本発明を採用する複合装置及び周辺機器のブロック図である。
【図２】本発明を採用する複合装置の操作パネルである。
【図３】ファクシミリの送受信で用いるバイナリコード情報である。
【図４】本発明のファクシミリ機能における、受信部とその周辺のブロック図である。
【図５】マルチフレームからなる手順信号の一例である。
【図６】本発明の伝送制御手段でマルチフレームからなる手順信号を受信するときの処理フローである。
【図７】同一メーカ同士のファクシミリ装置で、送受信を行ったときの手順である。
【図８】本発明を用いた、同一メーカ同士のファクシミリ装置で、送受信を行ったときの手順である。
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿送り装置（ＤＦ）
１４；バッファーメモリ
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
２７；フラグ検出手段
２８；フレームエラー検出手段
２９；最終フレーム検出手段
３０；フレーム格納手段
３１；フレーム解析手段
３２；伝送制御手段
３３；エラーフレーム番号保持手段
【図１】
2005039489.tif 000003
【図２】
2005039489.tif 000004
【図３】
2005039489.tif 000005
【図４】
2005039489.tif 000006
【図５】
2005039489.tif 000007
【図６】
2005039489.tif 000008
【図７】
2005039489.tif 000009
【図８】
2005039489.tif 000010